(57)【要約】      （修正有）【課題】支持部材の構造の強度を増加し、支持部材が外力に長期的に抵抗することが可能となり、植物体を確実に支持することが可能な植物用支持枠を提供する。【解決手段】差込部材１１と、寄掛かりユニット１２と、支持部材１３と、を備え、差込部材１１は、ベース６に差し込まれて位置決めされ、寄掛かりユニット１２は植物体７に寄掛かり、支持部材１３は、第１組付け段と、第２組付け段と、を備え、第１組付け段と差込部材１１とは互いに重なり、第２組付け段と寄掛かりユニット１２とは互いに重なる支持ユニット１と、二つのロックユニットと、少なくとも一つの補強部材３と、を備え、ロックユニットは、一方が第１組付け段と差込部材１１とを挿通して連結し、他方が第２組付け段と寄掛かりユニット１２とを挿通して連結し、補強部材３は、少なくとも第１組付け段の内部と第２組付け段の内部とのうちの一つに設けられている連結ユニット２と、を備える。【選択図】図１
0003219594.tif 000002
【実用新案登録請求の範囲】
【請求項１】
差込部材と、寄掛かりユニットと、支持部材と、を備え、前記差込部材は、ベースに差し込まれて位置決めされ、前記寄掛かりユニットは植物体に寄掛かり、前記支持部材は、第１組付け段と、第２組付け段と、を備え、前記第１組付け段と前記差込部材とは互いに重なり、前記第２組付け段と前記寄掛かりユニットとは互いに重なる支持ユニットと、
二つのロックユニットと、少なくとも一つの補強部材と、を備え、前記ロックユニットは、一方が前記第１組付け段と前記差込部材とを挿通して連結し、他方が前記第２組付け段と前記寄掛かりユニットとを挿通して連結し、前記補強部材は、前記支持部材の裏壁に押し付けて支持し、少なくとも前記第１組付け段の内部と前記第２組付け段の内部とのうちの一つに設けられている連結ユニットと、
を備えることを特徴とする植物用支持枠。
【請求項２】
前記補強部材は、本体と、二つの翼部と、を備え、前記二つの翼部は、配置方向に沿って前記本体の両端に設けられており、前記二つの翼部は前記支持部材の裏壁に押し付けることを特徴とする、請求項１に記載の植物用支持枠。
【請求項３】
前記補強部材は、更に、挿通通路を備え、前記挿通通路は前記本体に設けられており、前記ロックユニットは、前記挿通通路を通過して前記支持部材を挿通することを特徴とする、請求項２に記載の植物用支持枠。
【請求項４】
前記挿通通路の開口に沿って見れば、前記本体にＵ字形を呈する前記挿通通路が形成され、前記二つの翼部は、前記本体を中心として対称に配置されていることを特徴とする、請求項３に記載の植物用支持枠。
【請求項５】
前記支持部材は、更に、複数の貫通孔を備え、前記複数の貫通孔は、前記第１組付け段と前記第２組付け段とにそれぞれ設けられており、前記補強部材の前記挿通通路の開口は前記貫通孔に対応することを特徴とする、請求項３に記載の植物用支持枠。
【請求項６】
前記本体は、少なくとも一つの曲がり部と、二つの壁部と、を備え、前記二つの壁部は、前記曲がり部の両側に連接されており、間隔を空けるように配置され、前記二つの翼部は、それぞれ前記二つの壁部に設けられていることを特徴とする、請求項２に記載の植物用支持枠。
【請求項７】
前記配置方向に垂直する方向には、前記補強部材は、更に、第１端部と、第２端部と、備え、前記二つの翼部は前記第２端部に位置し、前記補強部材の前記第２端部は、前記支持部材の内部に進入し、前記二つの翼部の両端に傾斜部がそれぞれ設けられており、前記傾斜部は、前記第１端部から前記第２端部へ内側に傾斜し、前記配置方向に沿って見れば、前記二つの翼部の前記第１端部から遠く離れた側の幅は、前記本体の前記第１端部に近接する幅より小さいことを特徴とする、請求項２に記載の植物用支持枠。
【請求項８】
前記差込部材は、複数の止め片を備え、前記複数の止め片は、前記差込部材の一部から外側へ屈折して形成されることを特徴とする、請求項１に記載の植物用支持枠。
【請求項９】
更に、少なくとも一つの堅固台を備え、前記堅固台は、前記支持ユニットに連接されており、前記ベースに押し付けることを特徴とする、請求項１から８の何れかの１項に記載の植物用支持枠。
【請求項１０】
前記挿通通路の開口に沿って見れば、前記本体にＵ字形を呈する前記挿通通路が形成され、前記二つの翼部は、前記本体を中心として対称に配置され、前記本体は、少なくとも一つの曲がり部と、二つの壁部と、を備え、前記二つの壁部は、前記曲がり部の両側に連接されており、間隔を空けるように配置され、前記二つの翼部は、それぞれ前記二つの壁部に設けられており、前記配置方向に直交する方向には、前記補強部材は、更に、第１端部と、第２端部と、を備え、前記二つの翼部は前記第２端部に位置し、前記補強部材の前記第２端部は、前記支持部材の内部に進入し、前記配置方向に沿って見れば、前記第２端部の幅は前記第１端部の幅より小さく、前記差込部材は複数の止め片を備え、前記複数の止め片は、前記差込部材の一部から外側へ屈折して形成され、前記植物用支持枠は、更に、少なくとも一つの堅固台を備え、前記堅固台は、前記支持ユニットに連接されており、前記ベースに押し付け、前記差込部材は、コ字形の断面形状を有するロッドであり、前記ベースに差し込まれる一端が鋭く、前記寄掛かりユニットは、互いに枢着する、当接部材と、連接部材と、を備え、前記当接部材は植物体に当接し、前記連接部材は、前記ロックユニットを介して前記第２組付け段に枢着されており、前記連接部材はコ字形を呈し、前記二つの翼部と前記本体とは、前記支持部材の裏壁に寄掛かり、前記堅固台は、第１板部と、第２板部と、を備え、前記第１板部は前記ベースに押し付け、前記第１板部と一体に連接する前記第２板部の一側は、前記支持ユニットに当接し、前記挿通通路の伸び方向は、前記配置方向に直交し、前記挿通通路の開口に沿って見れば、前記翼部と前記壁部との形状は、ほぼＵ字形を呈し、前記差込部材の外壁には、更に、複数の補強リブが設けられており、前記補強部材は、前記ロックユニットの前記支持部材を挿通する箇所に隣接し、金属材料で作製されることを特徴とする、請求項５に記載の植物用支持枠。
【考案の詳細な説明】
【技術分野】
【０００１】
本考案は、植物用支持枠に関するものである。  
【背景技術】
【０００２】
植物は、生長する過程中に、風に吹かれ、土壌が雨に流され、又は外力に破壊される可能性があるため、倒れて生長することができなくなり、更に、死亡することがある。このため、支持部材を利用して保護することが必要である。しかし、植物を支持する支持部材は、中空のチューブであることが一般的である。支持部材は、長期的に締結部材（例えばボルト及びナット）に挟まれ、植物の重量による押付により、締結部材を挿通する箇所に、屈折して変形し、更に、断裂することがある。これにより、支持部材は植物体を確実に支持することができない。
【考案の概要】
【考案が解決しようとする課題】
【０００３】
本考案の主な目的は、支持部材の内部に補強部材を設けることにより、支持部材の構造の強度を増加し、支持部材が外力に長期的に抵抗することが可能となり、植物体を確実に支持することが可能な植物用支持枠を提供することにある。
【課題を解決するための手段】
【０００４】
本考案の植物用支持枠によると、差込部材と、寄掛かりユニットと、支持部材と、を備え、差込部材は、ベースに差し込まれて位置決めされ、寄掛かりユニットは植物体に寄掛かり、支持部材は、第１組付け段と、第２組付け段と、を備え、第１組付け段と差込部材とは互いに重なり、第２組付け段と寄掛かりユニットとは互いに重なる支持ユニットと、二つのロックユニットと、少なくとも一つの補強部材と、を備え、ロックユニットは、一方が第１組付け段と差込部材とを挿通して連結し、他方が第２組付け段と寄掛かりユニットとを挿通して連結し、補強部材は、支持部材の裏壁に押し付けて支持し、少なくとも第１組付け段の内部と第２組付け段の内部とのうちの一つに設けられている連結ユニットと、を備えることを特徴とする。
【０００５】
本考案の植物用支持枠によると、補強部材は、本体と、二つの翼部と、を備え、二つの翼部は、配置方向に沿って本体の両端に設けられており、二つの翼部は支持部材の裏壁に押し付けることを特徴とする。
【０００６】
本考案の植物用支持枠によると、補強部材は、更に、挿通通路を備え、挿通通路は本体に設けられており、ロックユニットは、挿通通路を通過して支持部材を挿通することを特徴とする。
【０００７】
本考案の植物用支持枠によると、挿通通路の開口に沿って見れば、本体にＵ字形を呈する挿通通路が形成され、二つの翼部は、本体を中心として対称に配置されていることを特徴とする。
【０００８】
本考案の植物用支持枠によると、支持部材は、更に、複数の貫通孔を備え、複数の貫通孔は、第１組付け段と第２組付け段とにそれぞれ設けられており、補強部材の挿通通路の開口は貫通孔に対応することを特徴とする。
【０００９】
本考案の植物用支持枠によると、本体は、少なくとも一つの曲がり部と、二つの壁部と、を備え、二つの壁部は、曲がり部の両側に連接されており、間隔するように配置され、二つの翼部は、それぞれ二つの壁部に設けられていることを特徴とする。
【００１０】
本考案の植物用支持枠によると、配置方向に垂直する方向には、補強部材は、更に、第１端部と、第２端部と、備え、二つの翼部は第２端部に位置し、補強部材の第２端部は、支持部材の内部に進入し、二つの翼部の両端に傾斜部がそれぞれ設けられており、傾斜部は、第１端部から第２端部へ内側に傾斜し、配置方向に沿って見れば、二つの翼部の第１端部から遠く離れた側の幅は、本体の第１端部に近接する幅より小さいことを特徴とする。
【００１１】
本考案の植物用支持枠によると、差込部材は、複数の止め片を備え、複数の止め片は、差込部材の一部から外側へ屈折して形成されることを特徴とする。
【００１２】
本考案の植物用支持枠によると、更に、少なくとも一つの堅固台を備え、堅固台は、支持ユニットに連接されており、ベースに押し付けることを特徴とする。
【００１３】
本考案の植物用支持枠によると、挿通通路の開口に沿って見れば、本体にＵ字形を呈する挿通通路が形成され、二つの翼部は、本体を中心として対称に配置され、本体は、少なくとも一つの曲がり部と、二つの壁部と、を備え、二つの壁部は、曲がり部の両側に連接されており、間隔を空けるように配置され、二つの翼部は、それぞれ二つの壁部に設けられており、配置方向に直交する方向には、補強部材は、更に、第１端部と、第２端部と、を備え、二つの翼部は第２端部に位置し、補強部材の第２端部は、支持部材の内部に進入し、配置方向に沿って見れば、第２端部の幅は第１端部の幅より小さく、差込部材は複数の止め片を備え、複数の止め片は、差込部材の一部から外側へ屈折して形成され、植物用支持枠は、更に、少なくとも一つの堅固台を備え、堅固台は、支持ユニットに連接されており、ベースに押し付け、差込部材は、コ字形の断面形状を有するロッドであり、ベースに差し込まれる一端が鋭く、寄掛かりユニットは、互いに枢着する、当接部材と、連接部材と、を備え、当接部材は植物体に当接し、連接部材は、ロックユニットを介して第２組付け段に枢着されており、連接部材はコ字形を呈し、二つの翼部と本体とは、支持部材の裏壁に寄掛かり、堅固台は、第１板部と、第２板部と、を備え、第１板部はベースに押し付け、第１板部と一体に連接する第２板部の一側は、支持ユニットに当接し、挿通通路の伸び方向は、配置方向に直交し、挿通通路の開口に沿って見れば、翼部と壁部との形状は、ほぼＵ字形を呈し、差込部材の外壁には、更に、複数の補強リブが設けられており、補強部材は、ロックユニットの支持部材を挿通する箇所に隣接し、金属材料で作製されることを特徴とする。
【考案の効果】
【００１４】
本考案の植物用支持枠によれば、支持部材の内部に補強部材を設けることにより、支持部材の構造の強度を増加し、支持部材が外力に長期的に抵抗することが可能となり、植物体を確実に支持することが可能であるという効果を有する。
【図面の簡単な説明】
【００１５】
【図１】本考案の一実施の形態に係る植物用支持枠の使用状態を示す図である。
【図２】図１の一部を示す分解斜視図である。
【図３】図１の一部を拡大する斜視図である。
【図４】図３の断面図である。
【図５】図３の分解斜視図である。
【図６】本考案に係る補強部材を示す斜視図である。
【図７】本考案に係る補強部材を示す正面図である。
【図８】本考案に係る補強部材を示す側面図である。
【図９】本考案に係る差込部材を示す斜視図である。
【図１０】本考案に係る差込部材を示す断面図である。
【図１１】本考案の一実施の形態に係る植物用支持枠の使用状態を示す図である。
【考案を実施するための形態】
【００１６】
以下、本考案の実施の形態を図面に基づいて説明する。
【００１７】
図１から図１０を参照する。本考案の一実施の形態に係る植物用支持枠は、支持ユニット１と、連結ユニット２と、を備える。
【００１８】
支持ユニット１は、差込部材１１と、寄掛かりユニット１２と、支持部材１３と、を備える。差込部材１１は、ベース６に差し込んで位置決めされる。寄掛かりユニット１２は、植物体７に寄掛かる。支持部材１３は、第１組付け段１３３と、第２組付け段１３４と、を備える。第１組付け段１３３と差込部材１１とは、互いに重なる。第２組付け段１３４と寄掛かりユニット１２とは、互いに重なる。連結ユニット２は、二つのロックユニット２１（例えばボルト）と、少なくとも一つの補強部材３と、を備える。ロックユニット２１は、一方が第１組付け段１３３と差込部材１１とを挿通して連結し、他方が第２組付け段１３４と寄掛かりユニット１２とを挿通して連結する。補強部材３は、支持部材１３の裏壁１３１に押し付けて支持する。補強部材３は、少なくとも第１組付け段１３３の内部と第２組付け段１３４の内部とのうちの一つに設けられている。
【００１９】
本実施の形態では、差込部材１１のベース６に差し込む一端が鋭いため、ベース６への差し込みが容易となる。差込部材１１の外壁１１２には、複数の補強リブ１１３が設けられていることにより、差込部材１１は、ベース６に差し込む過程中に変形しなくなる。差込部材１１は、断面形状がコ字形を呈するため、支持部材１３に重なることが可能である。一方、差込部材１１は複数の止め片１１１を備える。複数の止め片１１１により、ベース６との接触面積が増加する。これにより、差込部材１１は、ベース６に差し込んだ後、結合が安定的となる。止め片１１１は、差込部材１１の一部から屈折して形成されることが好ましい。そうすると、構造の強度は増加する。
【００２０】
本考案に係る植物用支持枠は、更に、少なくとも一つの堅固台４を備えることが好ましい。堅固台４は、支持ユニット１に連接されており、ベース６に押し付ける。堅固台４は、支持ユニット１を支持することにより、支持ユニット１が、外力に抵抗して揺れることはない。本実施の形態では、堅固台４は、第１板部４１と、第２板部４２と、を備える。第１板部４１はベース６に押し付ける。第２板部４２は、第１板部４１と連接し、側面が支持ユニット１に当接して連接される。
【００２１】
寄掛かりユニット１２は、互いに枢着する、当接部材１２１と、連接部材１２２と、を備える。当接部材１２１は植物体７に当接する。連接部材１２２は、ロックユニット２１を介して第２組付け段１３４に枢着されている。これにより、当接部材１２１と支持部材１３の開角の調整可能の角度はもっと大きくなり、各種の植物体７に対応することが可能である。連接部材１２２はコ字形を呈する。
【００２２】
もちろん、本考案は、上記の態様に限定されず、図１１に示すように、複数の植物用支持枠を利用し、複数の寄掛かりユニット１２ａが二つの互いに異なる支持部材１３ａとそれぞれ連接し、ひいては複数の寄掛かりユニット１２ａが植物体７ａを囲んで規制してもよい。
【００２３】
また、図１から図１０を参照する。本実施の形態では、補強部材３が、ロックユニット２１の支持部材１３を挿通する箇所に隣接し、これにより、当該箇所の構造の強度を増加することが可能であり、ロックユニット２１による長期的な挟み力、又は意外の衝突を有効に抵抗することが可能である。換言すると、補強部材３は、支持部材１３の内部からの支持力により、外部からの外力に抵抗し、支持部材１３の構造を保持することが可能であり、寿命を長くすることが可能である。補強部材３は、複数あることが好ましい。これにより、第１組付け段１３３の内部と第２組付け段１３４の内部とに分けて設けることが可能であり、構造の強度を増加することが可能である。
【００２４】
また、補強部材３は、金属材料で作製され、本体３１と、二つの翼部３２と、を備える。二つの翼部３２は、配置方向５に沿って本体３１の両端に設けられている。二つの翼部３２は、支持部材１３の裏壁１３１に押し付けて支持力を提供する。二つの翼部３２と本体３１とは、支持部材１３の裏壁１３１に押し付けることが好ましい。これにより、構造を補強することが可能である。
【００２５】
また、補強部材３は、更に、挿通通路３３を備える。挿通通路３３は本体３１に設けられている。ロックユニット２１は、挿通通路３３を通過して支持部材１３を挿通する。これにより、補強部材３は、ロックユニット２１の挿通を影響せず、ロックユニット２１にもっと近接することが可能であり、ロックユニット２１の周りにある支持部材１３を支持することが可能である。
【００２６】
具体的には、本体３１は、少なくとも一つの曲がり部３１１と、二つの壁部３１２と、を備える。二つの壁部３１２は、曲がり部３１１の両側に連接されており、間隔を空けて配置される。二つの翼部３２は、それぞれ二つの壁部３１２に設けられている。曲がり部３１１により、二つの壁部３１２はバネのような弾力を有する。これにより、支持部材１３の作製時に発生する加工誤差を無くすことが可能であり、支持部材１３の裏壁１３１に補強部材３を確実に当接して位置決めされることが可能である。
【００２７】
具体的には、挿通通路３３の開口に沿って見れば、本体３１がＵ字形を呈する挿通通路３３を形成する。二つの翼部３２は、本体３１を中心として対称に配置され、壁部３１２の形状と同じようにＵ字形を呈することが好ましい。補強部材３を取り付けようとするときには、支持部材１３にロックユニット２１を挿通した後、工具により補強部材３を支持部材１３の内部に打ち込む。これにより、Ｕ字形を呈する本体３１は、ロックユニット２１に跨る。
【００２８】
本実施の形態では、支持部材１３は、更に、複数の貫通孔１３２を備える。複数の貫通孔１３２は、第１組付け段１３３と第２組付け段１３４とに分けて設けられている。上記の取付方式により、補強部材３の挿通通路３３の開口は貫通孔１３２に対応する。すなわち、挿通通路３３の伸び方向は配置方向５に直交する。
【００２９】
特に、配置方向５に直交する方向には、補強部材３は、更に、第１端部３４と、第２端部３５と、を備える。二つの翼部３２は第２端部３５に位置する。補強部材３の第２端部３５は、支持部材１３の内部に進入する。二つの翼部３２の両端には、傾斜部３２１がそれぞれ設けられている。傾斜部３２１は、第１端部３４から第２端部３５へ内側に傾斜する。配置方向５に沿って見れば、二つの翼部３２の第１端部３４から遠く離れた位置側の幅は、本体３１の第１端部３４に近接する幅より小さい。二つの翼部３２の幅のより小さい部分は、支持部材１３の内部に差し込むことが容易となり、工具により補強部材３を叩くと、適当の位置に補強部材３を移動することが可能である。
【００３０】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【符号の説明】
【００３１】
１    支持ユニット
２    連結ユニット
３    補強部材
４    堅固台
５    配置方向
６    ベース
７, ７ａ    植物体
１１    差込部材
１２, １２ａ    寄掛かりユニット
１３, １３ａ    支持部材
２１    ロックユニット
３１    本体
３２    翼部
３３    挿通通路
３４    第１端部
３５    第２端部
４１    第１板部
４２    第２板部
１１１    止め片
１１２    外壁
１１３    補強リブ
１２１    当接部材
１２２    連接部材
１３１    裏壁
１３２    貫通孔
１３３    第１組付け段
１３４    第２組付け段
３１１    曲がり部
３１２    壁部
３２１    傾斜部
【図１】
0003219594.tif 000003
【図２】
0003219594.tif 000004
【図３】
0003219594.tif 000005
【図４】
0003219594.tif 000006
【図５】
0003219594.tif 000007
【図６】
0003219594.tif 000008
【図７】
0003219594.tif 000009
【図８】
0003219594.tif 000010
【図９】
0003219594.tif 000011
【図１０】
0003219594.tif 000012
【図１１】
0003219594.tif 000013